【手続補正書】
【提出日】平成16年7月22日(2004.7.22)
【手続補正１】
【補正対象書類名】特許請求の範囲
【補正対象項目名】全文
【補正方法】変更
【補正の内容】
【特許請求の範囲】
【請求項１】
流体又は液体化可能な材料を含む積荷を輸送及び／又は収容するのための可撓性流体収容船であって、
細長い可撓性管状構造物は、第１円周を有する布を含み、
前記管状構造物を不浸透性にするための手段であって、前記管状構造物が前端部と後端部とを有する手段と、
前記前端部と前記後端部とを密閉するための手段と
前記積荷収容船を充填及び排出するための手段と、
前記前端部又は後端部の少なくとも一方は、管状構造物の布の複数の折り目又はひだを含み、前記ひだは両端でシールされ、前記ひだ付近に位置するクランプ手段は前記ひだを固定する位置に保持し、第１円周よりも短い第２円周で定義される前記ひだの両端、前記ひだは前記管状構造物の一部を通じて広がり、また管状構造物の部分のサイズが徐々に増加していく、円錐状又はテーパな端部を形成するような前記両端のひだ、
を備える可撓性流体収容船。
【請求項２】
結着させる取付物を含み、また前記取付物にひだをつけた両端を密閉した請求項１に記載の船。
【請求項３】
右回り方向、左回り方向あるいはそれの組み合せでひだが折り畳まれるか、又は第２円周の周囲に積み重ねられた配置でそれら自身が折り畳まれる請求項１に記載の船。
【請求項４】
管状構造物が縦方向の軸を有しており、複数のひだが前記縦方向の軸にある角度で形成される請求項１に記載の船。
【請求項５】
前記前端部及び前記後端部がそのように形成された請求項１に記載の船。
【請求項６】
流体又は液体化可能な材料を含む積荷を輸送及び／又は収容するのための可撓性流体収容船であって、
細長い可撓性管状構造物は、第１円周と縦方向の軸を有する布を含み、
前記管状構造物を不浸透性にするための手段であって、前記管状構造物が前端部と後端部とを有する手段と、
前記前端部と前記後端部とを密閉するための手段と
前記積荷収容船を充填及び排出するための手段と、
前記管状構造物は、布の複数の折り目又はひだを含み、前端部から後端部まで拡張し、それは縦方向の軸と本質的に平行であり、前記ひだは前記両端のひだの位置で密閉され、かつ固定する手段を両端に有しており、積荷で前記管状構造物が充填された時は前記ひだの拡大を引き起こし、しかしながら、前記両端のひだの固定は保持される、
を備える可撓性流体収容船。
【請求項７】
結着させる取付物を含み、また前記取付物にひだをつけた両端を密閉した請求項６に記載の船。
【請求項８】
流体又は液体化可能な材料を含む積荷を輸送及び／又は収容するのための可撓性流体収容船であって、
細長い可撓性管状構造物は、第１円周と縦方向の軸を有する布を含み、
前記管状構造物を不浸透性にするための手段であって、前記管状構造物が前端部と後端部とを有する手段と、
前記前端部と前記後端部とを密閉するための手段と
前記積荷収容船を充填及び排出するための手段と、
前記前端部又は後端部の少なくとも一方は、あるポイントから端部部分を定義する前記端部部分の上に及ぶ縦方向の軸の部分に沿って管状構造物から集められた布の部分を含み、前記布は前記ポイントから前記端部に布が次第に集められ、前記集められた布は内部表面及び外部表面を有し、前記内部表面は密閉され、前記集められた布は前記端部で適所に機械的に固定され、第１円周よりも短い第２円周で定義される前記端部、また前記端部部分は円錐状又はテーパな形状のように形成される、
を備える可撓性流体収容船。
【請求項９】
結着させる取付物を含み、前記端部を密閉する請求項８に記載の船。
【請求項１０】
前記集められた布が、それ自体の上に螺旋状に折り畳む方法、それ自体の上に振り前後に折り畳む方法あるいは両方の組み合せを含む方法で集められた請求項８に記載の船。
【請求項１１】
互いからの一定間隔で配置された距離に位置した、集められた布の複数の部分を含んでいる請求項８に記載の船。
【請求項１２】
前記集められた布の複数の部分が、前記端部部分に対して互いに等距離である請求項１１に記載の船。
【請求項１３】
集められた布の折り畳みを容易にする折り畳み容易部材を含んでいる請求項８に記載の船。
【請求項１４】
集められた布のそれぞれの部分のための複数の折り畳みを容易にする部材を含んでいる請求項１１に記載の船。
【請求項１５】
前記集められた布が、前記端部付近に位置したクランプによって適所に機械的に固定される請求項８に記載の船。
【請求項１６】
前記前端部及び前記後端部がそのように形成された請求項８に記載の船。
【請求項１７】
流体又は液体化可能な材料を含む積荷を輸送及び／又は収容するのための可撓性流体収容船であって、
細長い可撓性管状構造物は、第１円周と縦方向の軸を有する布を含み、
前記管状構造物を不浸透性にするための手段であって、前記管状構造物が前端部と後端部とを有する手段と、
前記前端部と前記後端部とを密閉するための手段と
前記積荷収容船を充填及び排出するための手段と、
前記前端部又は後端部の少なくとも一方は、管状構造物の布の複数の放射状に広がる折り目又は歯を含み、前記折り目は両端にあり、前記両端位置で固定するための手段、第１円周よりも短い第２円周で定義される前記両端、前記折り目は前記管状構造物の一部を通じて広がり、また管状構造物の部分の深さが徐々に増加していく、円錐状又はテーパな端部を形成するような前記両端の折り目、
を備える可撓性流体収容船。
【請求項１８】
前記折り目の位置で固定するための前記手段が、前記端部にある端部クロージャー装置を含んでいる請求項１７に記載の船。
【請求項１９】
前記折り目が内部表面及び外部表面を有し、前記端部クロージャー装置は、外部表面上に第１部分及び内部表面上の第２部分を含み、その間に位置した前記折り目と共に前記第１と第２部分が機械的に連結された請求項１８に記載の船。
【請求項２０】
前記両端の付近に位置した複数の端部クロージャー装置を含み、また前記第２の円周が定義される請求項１９に記載の船。
【請求項２１】
前記端部クロージャー装置に付けられた取付物を含んでいる請求項２０に記載の船。
【請求項２２】
前記前端部及び後端部がそのように形成された請求項１７に記載の船。
【請求項２３】
流体又は液体化可能な材料を含む積荷を輸送及び／又は収容するのための可撓性流体収容船であって、
細長い可撓性管状構造物は、第１円周を有する布を含み、
前記管状構造物を不浸透性にするための手段であって、前記管状構造物が前端部と後端部とを有する手段と、
前記前端部と前記後端部とを密閉するための手段と
前記積荷収容船を充填及び排出するための手段と、
前記前端部又は後端部の少なくとも一方は、管状構造物の布の複数の放射状に広がる折り目を含み、前記折り目は両端にあり、前記両端位置で固定するための手段、第１円周よりも短い第２円周で定義される星の中心部を備えた星のような形状である前記両端、前記折り目は前記管状構造物の一部を通じて広がり、また管状構造物の部分の深さが徐々に増加していく、円錐状又はテーパな端部を形成するような前記両端の折り目、
を備える可撓性流体収容船。
【請求項２４】
前記折り目の位置で固定するための前記手段が、前記端部にある端部クロージャー装置を含んでいる請求項２３に記載の船。
【請求項２５】
前記折り目が内部表面及び外部表面を有し、前記端部クロージャー装置は、外部表面上に第１部分及び内部表面上の第２部分を含み、前記第１と第２部分が機械的に連結された請求項２４に記載の船。
【請求項２６】
前記両端の間に位置する複数の端部クロージャー装置を含み、その間に位置した前記折り目と共に機械的に連結された請求項２５に記載の船。
【請求項２７】
前記端部クロージャー装置に付けられた取付物を含んでいる請求項２６に記載の船。
【請求項２８】
前記前端部及び後端部がそのように形成された請求項２３に記載の船。
【請求項２９】
流体又は液体化可能な材料を含む積荷を輸送及び／又は収容するのための大型可撓性流体収容船の作製方法であって、
細長い可撓性管状構造物は、第１円周を有する布を含んで形成され、
前記管状構造物を不浸透性にし、
前端部と後端部を形成し、
前記前端部と前記後端部とを密閉し、
前記積荷収容船を充填及び排出するための手段をもたらし、
管状構造物の前端部又は後端部の少なくとも一方は、織り、編むあるいは撚り合わせられ、第１円周よりも短い第２円周の末端がテーパを有している、
を備える可撓性流体収容船の作製方法。
【請求項３０】
縦糸と横糸の繊維あるいは糸を備えた管状構造物を織る工程、また前記端部で織られているような連続する方法で徐々に縦糸を除去することにより前記端部でテーパに織る工程を含んでいる請求項２９に記載の方法。
【請求項３１】
縦糸と横糸の繊維あるいは糸を備えた管状構造物を織る工程、また前記端部で織られているような縦糸の中で抜き取ることにより前記端部でテーパに織る工程を含んでいる請求項２９に記載の方法。
【請求項３２】
テーパを作製する前記端部の編む間に編み針を徐々に外していくことによってことにより前記端部でテーパに編む工程を含んでいる請求項２９に記載の方法。
【請求項３３】
管状構造物を編む工程を含んでいる請求項２９に記載の方法。
【請求項３４】
撚り合わせ繊維又は糸の速度に関する巻き取り速度の調節により前記端部でテーパを撚り合わせる工程を含んでいる請求項２９に記載の方法。
【請求項３５】
管状構造物を撚り合わせる工程を含んでいる請求項２９に記載の方法。
【請求項３６】
テーパを備えた前端部及び後端部を織り、編むあるいは撚り合わせる工程を含んでいる請求項２９に記載の方法。
【請求項３７】
流体又は液体化可能な材料を含む積荷を輸送及び／又は収容するのための可撓性流体収容船であって、
細長い可撓性管状構造物は、第１円周を有する布を含み、
前記管状構造物を不浸透性にするための手段であって、前記管状構造物が前端部と後端部とを有する手段と、
前記前端部と前記後端部とを密閉するための手段と
前記積荷収容船を充填及び排出するための手段と、
前記前端部又は後端部の少なくとも一方は、前記両端のうちの１つの第１円周よりも短い第２円周で定義するための集められた布を含み、固定された位置で前記集められた布が輪手段で保持される、
を備える可撓性流体収容船。
【請求項３８】
前記輪手段に機械的に結着する端部取付物を含んでいる請求項３７に記載の船。
【請求項３９】
前記集められた布が、前記輪手段で折り畳まれ、適所にしっかり固定される請求項３７に記載の船。
【請求項４０】
前記前端部及び後端部がそのように形成された請求項３７に記載の船。
【請求項４１】
流体又は液体化可能な材料を含む積荷を輸送及び／又は収容するのための可撓性流体収容船の前端部及び後端部の作製方法であって、
細長い可撓性管状構造物は、第１円周と前端部及び後端部を有する布をもたらし、
第１円周よりも短い第２円周で定義するための前記前端部又は後端部の心棒の周囲の少なくとも一方で布が集められ、
前記集められた布の周囲に輪の位置を決め、また
前記輪の上に前記集められた布を折り畳み及び輪にそれをしっかり固定する、
を備える可撓性流体収容船の作製方法。
【請求項４２】
前記輪に端部取付部をしっかり固定する更なる工程を含んでいる請求項４１に記載の方法。
【請求項４３】
そのような方法で前記前端部と前記後端部を形成する更なる工程を含んでいる請求項４１に記載の方法。
【請求項４４】
流体又は液体化可能な材料を含む積荷を輸送及び／又は収容するのための大型可撓性流体収容船であって、
細長い可撓性管状構造物は、第１円周を有する布を含み、
前記管状構造物は不浸透性であり、
前端部と後端部とを密閉してあり、
前記積荷収容船を充填及び排出するための手段、及び
管状構造物の前端部又は後端部の少なくとも一方は、織り、編むあるいは撚り合わせることにより形成され、そのような方法で第１円周よりも短い第２円周の末端がテーパを有している、
を備える前記船。
【請求項４５】
縦糸と横糸の繊維あるいは糸を有する管状構造物、また前記端部で織られているような連続する方法で徐々に縦糸を除去することにより前記端部で形成されたテーパを含んでいる請求項４４に記載の船。
【請求項４６】
縦糸と横糸の繊維あるいは糸を備えた管状構造物、また前記端部で織られているような縦糸の中で抜き取ることにより前記端部で形成されたテーパを含んでいる請求項４４に記載の船。
【請求項４７】
テーパを作製する前記端部の編む間に編み針を徐々に外していくことにより前記端部でテーパに編まれたことを含んでいる請求項４４に記載の船。
【請求項４８】
管状構造物に編まれたことを含んでいる請求項４４に記載の船。
【請求項４９】
撚り合わせ繊維又は糸の速度に関する巻き取り速度の調節により前記端部でテーパに撚り合わされたことを含んでいる請求項４４に記載の船。
【請求項５０】
管状構造物に撚り合わされたことを含んでいる請求項４４に記載の船。
【請求項５１】
織り、編むあるいは撚り合わされたテーパを備えた前端部及び後端部を含んでいる請求項４４に記載の船。